(57)【特許請求の範囲】
【請求項１】
被写体を撮影装置によって撮影して得られた画像を表示する媒体を観賞物として所定の観賞推奨位置から観賞するために観賞物を展示する展示方法であって、
前記観賞物と、前記観賞物に対して前記観賞推奨位置側に配置され、前記観賞物の少なくとも一部を遮蔽する観賞演出材と、を配する工程と、
前記観賞推奨位置と前記観賞物との間の距離をＺ１、前記撮影時の前記被写体と前記撮影装置との間の距離をＺ２、前記撮影時の前記被写体のサイズをＹ２とするときに、
Ｚ１＝（Ｚ２×Ｙ１）／Ｙ２
を満たすＹ１と、前記観賞物中の前記被写体の画像のサイズであるＹ３と、の比較に基づいて、配する前記観賞演出材と前記観賞物との間の距離を設定する工程と、を有し、
前記設定する工程では、Ｙ３がＹ１より大きい場合よりもＹ３がＹ１以下である場合の方が、前記観賞演出材と前記観賞物との間の距離が短くなることを特徴とする展示方法。
【請求項２】
前記設定する工程では、Ｙ３がＹ１より大きい場合に、前記観賞推奨位置から前記観賞物に向かう方向における前記観賞演出材の前記観賞物側の端から前記観賞演出材の重心までのいずれかの位置と前記観賞物との距離が
（Ｚ１／２）・（１+Ｙ１／Ｙ３）
となることを特徴とする請求項１に記載の展示方法。
【請求項３】
前記設定する工程では、Ｙ３がＹ１以下の場合に、前記観賞推奨位置から前記観賞物に向かう方向における前記観賞演出材の前記観賞推奨位置側の端から前記観賞演出材の重心までのいずれかの位置と前記観賞物との距離が
（Ｚ１／２）・（２−Ｙ１／Ｙ３）
となることを特徴とする請求項１に記載の展示方法。
【請求項４】
前記観賞物は、前記画像を表示する面が水平方向に対して交差するように設けられることを特徴とする請求項１ないし３のいずれか１項に記載の展示方法。
【請求項５】
前記距離Ｚ１は２メートル以上であることを特徴とする請求項４に記載の展示方法。
【請求項６】
前記観賞推奨位置は前記観賞物の上方にあることを特徴とする請求項１ないし５のいずれか１項に記載の展示方法。
【請求項７】
前記観賞演出材は、前記観賞物の上方に位置し、かつ上部に前記観賞推奨位置が存在する第１観賞演出材と、前記第１観賞演出材よりも高い位置にあり、前記観賞物の上方に位置しかつ上部が前記観賞推奨位置ではない第２観賞演出材と、を含み、
前記設定する工程では、前記観賞推奨位置から前記観賞物に向かう方向における前記第２観賞演出材の前記観賞物側の端と前記第２観賞演出材の重心との間までのいずれかの位置と前記観賞物との間の距離が
（Ｚ１／２）・（１+Ｙ１／Ｙ３）
となることを特徴とする請求項６に記載の展示方法。
【請求項８】
前記観賞演出材は、前記観賞物の上方に位置し、かつ上部に前記観賞推奨位置が存在する第１観賞演出材と、前記第１観賞演出材よりも低い位置にあり、前記観賞物の上方に位置しかつ上部が前記観賞推奨位置ではない第２観賞演出材と、を含み、
前記設定する工程では、前記観賞推奨位置から前記観賞物に向かう方向における前記第２観賞演出材の前記観賞推奨位置側の端と前記第２観賞演出材の重心との間までのいずれかの位置と前記観賞物との距離が
（Ｚ１／２）・（２−Ｙ１／Ｙ３）
となることを特徴とする請求項６に記載の展示方法。
【請求項９】
被写体を撮影装置によって撮影して得られた画像を表示する媒体を観賞物として所定の観賞推奨位置から観賞するために観賞物を展示する展示方法であって、
前記観賞物と、前記観賞物に対して前記観賞推奨位置側に配置され、前記観賞物の少なくとも一部を遮蔽する観賞演出材と、を配する工程を有し、
前記観賞推奨位置と前記観賞物との間の距離をＺ１、前記撮影時の前記被写体と前記撮影装置との間の距離をＺ２、前記撮影時の前記被写体のサイズをＹ２とするときに、
Ｚ１＝（Ｚ２×Ｙ１）／Ｙ２
を満たすＹ１と、前記観賞物中の前記被写体の画像のサイズＹ３と、の比較に基づいて、配する前記観賞演出材と前記観賞物との間の距離を設定する工程と、を有し、
前記設定する工程では、Ｙ３＞Ｙ１である場合には、前記観賞推奨位置から前記観賞物に向かう方向における前記観賞演出材の前記観賞物側の端から前記観賞演出材の重心までの範囲のいずれかの位置で、前記観賞物からの距離が
（Ｚ１／２）・（１＋Ｙ１／Ｙ３）
となることを特徴とする展示方法。
【請求項１０】
被写体を撮影装置によって撮影して得られた画像を表示する媒体を観賞物として所定の観賞推奨位置から観賞するために観賞物を展示する展示方法であって、  前記観賞物と、前記観賞物に対して前記観賞推奨位置側に配置され、前記観賞物の少なくとも一部を遮蔽する観賞演出材と、を配する工程を有し、  前記観賞推奨位置と前記観賞物との間の距離をＺ１、前記撮影時の前記被写体と前記撮影装置との間の距離をＺ２、前記撮影時の前記被写体のサイズをＹ２とするときに、      Ｚ１＝（Ｚ２×Ｙ１）／Ｙ２  を満たすＹ１と、前記観賞物中の前記被写体の画像のサイズＹ３と、の比較に基づいて、配する前記観賞演出材と前記観賞物との間の距離を設定する工程と、を有し、  前記設定する工程では、Ｙ３≦Ｙ１である場合には、前記観賞推奨位置から前記観賞物に向かう方向における前記観賞演出材の前記観賞推奨位置側の端から前記観賞演出材の重心までの範囲のいずれかの位置で、前記観賞物からの距離が      （Ｚ１／２）・（２−Ｙ１／Ｙ３）  となることを特徴とする展示方法。
【請求項１１】
前記観賞物は、前記画像を表示する面が水平方向に対して交差するように設けられることを特徴とする請求項９または１０に記載の展示方法。
【請求項１２】
前記距離Ｚ１は２メートル以上であることを特徴とする請求項１１に記載の展示方法。
【請求項１３】
前記Ｙ２は前記撮影時の前記被写体の高さ方向のサイズであり、前記Ｙ３は前記観賞物中の前記被写体の画像の縦方向のサイズであることを特徴とする請求項４、１１および１２のいずれか１項に記載の展示方法。
【請求項１４】
観賞者が前記観賞物の上方から前記観賞物を見下ろして観賞することを特徴とする請求項９から１３のいずれか１項に記載の展示方法。
【請求項１５】
前記観賞物は、前記媒体にインクジェットプリンタによって前記画像を記録することで得られたものであることを特徴とする請求項１ないし１４のいずれか１項に記載の展示方法。
【請求項１６】
被写体を撮影装置によって撮影して得られた画像を表示する媒体を観賞物として観賞する観賞方法であって、
前記観賞物と、前記観賞物と観賞者が観賞する位置との間に、前記観賞者が前記観賞物を観賞した場合に前記観賞物の少なくとも一部を遮蔽する観賞演出材と、が配置される工程と、
前記観賞者と前記観賞物との間の距離をＺ１、前記撮影時の前記被写体と前記撮影装置との間の距離をＺ２、前記撮影時の前記被写体のサイズをＹ２、前記観賞物中の前記被写体の画像のサイズをＹ３とするときに、
Ｚ１＝（Ｚ２×Ｙ１）／Ｙ２
を満たすＹ１とＹ３との比較に基づいて、配する前記観賞物と前記観賞演出材との距離が設定される工程と、を有し、
前記設定される工程では、Ｙ３＞Ｙ１である場合には、前記観賞者から前記観賞物に向かう方向における前記観賞演出材の前記観賞物の側の端から前記観賞物の重心までのいずれかの位置と前記観賞物との間の距離Ｓが、
Ｓ＝（Ｚ１／２）・（１＋Ｙ１／Ｙ３）
を満たすことを特徴とする観賞方法。
【請求項１７】
被写体を撮影装置によって撮影して得られた画像を表示する媒体を観賞物として観賞する観賞方法であって、
前記観賞物と、前記観賞物と観賞者が観賞する位置との間に、前記観賞者が前記観賞物を観賞した場合に前記観賞物の少なくとも一部を遮蔽する観賞演出材と、が配置される工程と、
前記観賞者と前記観賞物との間の距離をＺ１、前記撮影時の前記被写体と前記撮影装置との間の距離をＺ２、前記撮影時の前記被写体のサイズをＹ２、前記観賞物中の前記被写体の画像のサイズをＹ３とするときに、
Ｚ１＝（Ｚ２×Ｙ１）／Ｙ２
を満たすＹ１とＹ３との比較に基づいて、配する前記観賞物と前記観賞演出材との距離を設定される工程と、を有し、
前記設定される工程では、Ｙ３≦Ｙ１である場合には、前記観賞者から前記観賞物に向かう方向における前記観賞演出材の前記観賞者側の端から前記観賞物の重心までのいずれかの位置と前記観賞物との間の距離Ｓが、
Ｓ＝（Ｚ１／２）・（２−Ｙ１／Ｙ３）
を満たすことを特徴とする観賞方法。
【請求項１８】
前記観賞物は、前記画像を表示する面が水平方向に対して交差するように設けられることを特徴とする請求項１６または１７に記載の観賞方法。
【請求項１９】
前記距離Ｚ１は２メートル以上であることを特徴とする請求項１８に記載の観賞方法。
【請求項２０】
前記Ｙ２は前記撮影時の前記被写体の高さ方向のサイズであり、前記Ｙ３は前記観賞物中の前記被写体の画像の縦方向のサイズであることを特徴とする請求項１８または１９に記載の観賞方法。
【請求項２１】
前記観賞者が前記観賞物の上方から前記観賞物を見下ろして観賞することを特徴とする請求項１６ないし１９のいずれか１項に記載の観賞方法。
【請求項２２】
前記観賞物は、前記媒体にインクジェットプリンタによって前記画像を記録することで得られたものであることを特徴とする請求項１６ないし２１のいずれか１項に記載の観賞方法。
【請求項２３】
被写体を撮影装置によって撮影して得られた画像を表示する媒体を観賞物として所定の観賞推奨位置から観賞するために観賞物を展示する展示方法であって、
前記観賞物と、前記観賞物に対して前記観賞推奨位置側に配置され、前記観賞物の少なくとも一部を遮蔽する観賞演出材と、を配する工程を有し、
前記観賞推奨位置と前記観賞物との間の距離をＺ１、前記撮影時の前記被写体と前記撮影装置との間の距離をＺ２、前記撮影時の前記被写体のサイズをＹ２とするときに、
Ｚ１＝（Ｚ２×Ｙ１）／Ｙ２
を満たすＹ１に対して、前記観賞物中の前記被写体の画像のサイズであるＹ３がＹ１より大きい場合よりもＹ３がＹ１以下である場合の方が、前記観賞演出材と前記観賞物との間の距離が短くなるように、前記観賞演出材を配し、
前記観賞推奨位置は前記観賞物の上方にあり、
前記観賞演出材は、前記観賞物の上方に位置し、かつ上部に前記観賞推奨位置が存在する第１観賞演出材と、前記観賞物の上方に位置しかつ上部が前記観賞推奨位置ではない第２観賞演出材と、を含み、
前記第２観賞演出材が前記第１観賞演出材よりも高い位置にあり、前記観賞推奨位置から前記観賞物に向かう方向における前記第２観賞演出材の前記観賞物側の端と前記第２観賞演出材の重心との間までのいずれかの位置と前記観賞物との間の距離が
（Ｚ１／２）・（１+Ｙ１／Ｙ３）
となるように前記観賞演出材を配することを特徴とする展示方法。
【請求項２４】
被写体を撮影装置によって撮影して得られた画像を表示する媒体を観賞物として所定の観賞推奨位置から観賞するために観賞物を展示する展示方法であって、
前記観賞物と、前記観賞物に対して前記観賞推奨位置側に配置され、前記観賞物の少なくとも一部を遮蔽する観賞演出材と、を配する工程を有し、
前記観賞推奨位置と前記観賞物との間の距離をＺ１、前記撮影時の前記被写体と撮影装置との間の距離をＺ２、前記撮影時の前記被写体のサイズをＹ２とするときに、
Ｚ１＝（Ｚ２×Ｙ１）／Ｙ２
を満たすＹ１に対して、観賞物中の前記被写体の画像のサイズであるＹ３がＹ１より大きい場合よりもＹ３がＹ１以下である場合の方が、前記観賞演出材と前記観賞物との間の距離が短くなるように、前記観賞演出材を配し、
前記観賞推奨位置は前記観賞物の上方にあり、
前記観賞演出材は、前記観賞物の上方に位置し、かつ上部に前記観賞推奨位置が存在する第１観賞演出材と、前記観賞物の上方に位置しかつ上部が前記観賞推奨位置ではない第２観賞演出材と、を含み、
前記第２観賞演出材が前記第１観賞演出材よりも低い位置にあり、前記観賞推奨位置から前記観賞物に向かう方向における前記第２観賞演出材の前記観賞推奨位置側の端と前記第２観賞演出材の重心との間までのいずれかの位置と前記観賞物との距離が
（Ｚ１／２）・（２−Ｙ１／Ｙ３）
となるように前記観賞演出材を配することを特徴とする展示方法。
【発明の詳細な説明】
【技術分野】
【０００１】
本発明は、展示方法および観賞方法に関し、詳しくは、プリント物や絵画等の観賞物を展示するための展示方法および観賞方法に関する。
【背景技術】
【０００２】
従来、展示セットの一例として、特許文献１に記載されるような、疑似窓が知られている。これは、会議室等の静粛性の確保や秘密漏洩に対する防御のために窓を設置出来ない環境において設置されるものであり、表示部に窓の外に存在し得る風景の画像を表示し、その前面に疑似的な窓枠を設置したものである。これにより、室内の人間にあたかも実際の野外の風景を眺めているかのような疑似体験をさせることを可能としている。
【先行技術文献】
【特許文献】
【０００３】
【特許文献１】特開２００８−２９７８０３号公報
【発明の概要】
【発明が解決しようとする課題】
【０００４】
しかしながら、特許文献１に記載の疑似窓は、表示される窓外の風景を見るときの「臨場感」に乏しい場合がある。すなわち、疑似窓における表示部や窓枠との位置関係によって、表示される画像を見るときその実サイズ相当に知覚できないことがある。そのような場合には、特に、奥行きについての違和感を生じ臨場感が低下する。
【０００５】
本発明は、上記の課題を解決するためになされたものであり、観賞する画像をその実サイズ相当に知覚できるようにし、特に、奥行きについての違和感を生じないようにすることを可能とする展示方法および観賞方法を提供することを目的とする。
【課題を解決するための手段】
【０００６】
本発明の展示方法は、被写体を撮影装置によって撮影して得られた画像を表示する媒体を観賞物として所定の観賞推奨位置から観賞するために観賞物を展示する展示方法であって、前記観賞物と、前記観賞物に対して前記観賞推奨位置側に配置され、前記観賞物の少なくとも一部を遮蔽する観賞演出材と、を配する工程を有し、前記観賞推奨位置と前記観賞物との間の距離をＺ１、前記撮影時の前記被写体と前記撮影装置との間の距離をＺ２、前記撮影時の前記被写体のサイズをＹ２とするときに、
Ｚ１＝（Ｚ２×Ｙ１）／Ｙ２
を満たすＹ１と、前記観賞物中の前記被写体の画像のサイズであるＹ３と、の比較に基づいて、配する前記観賞演出材と前記観賞物との間の距離を設定する工程と、前記設定する工程では、Ｙ３がＹ１より大きい場合よりもＹ３がＹ１以下である場合の方が、前記観賞演出材と前記観賞物との間の距離が短くなることを特徴とする。
【発明の効果】
【０００７】
以上の構成によれば、展示において、観賞する画像をその実サイズ相当に知覚できるようにし、特に、奥行きについての違和感を生じないようにすることが可能となる。
【図面の簡単な説明】
【０００８】
【図１】（ａ）〜（ｄ）は、本発明の一実施形態に係る展示セットを説明する図である。
【図２】（ａ）〜（ｃ）は、観賞演出材の他の形態を示す斜視図である。
【図３】一実施形態に係る展示セットの、特に、観賞物と観賞演出材との関係、および観賞物を観賞する観賞者と観賞物における観賞対象画像との関係を説明する図である。
【図４】（ａ）〜（ｃ）は、本実施形態に係る運動視差を説明する図である。
【図５】（ａ）〜（ｃ）は、本実施形態に係る距離Ｓの変更による、基本的な観賞対象画像のサイズ感の変更を説明する図である。
【図６】（ａ）および（ｂ）は、観賞物が撮像装置によって撮像された画像である場合の、観賞者が観賞物を観賞する際の観賞距離をと撮像距離などとの関係を説明する図である。
【図７】（ａ）〜（ｄ）は、本発明の第１の実施形態に係る、観賞演出材の距離の制御を説明する図である。
【図８】（ａ）〜（ｄ）は、本発明の第２実施形態に係る展示セットを説明する図である。
【図９】（ａ）〜（ｄ）は、第２実施形態に係る、観賞演出材の配置の仕方を説明する図である。
【発明を実施するための形態】
【０００９】
以下、図面を参照して本発明の実施形態を詳細に説明する。なお、以下の実施形態に記載されている構成要素はあくまで例示であり、本発明の範囲をそれらのみに限定する趣旨のものではないことはもちろんである。
【００１０】
（第１実施形態）
図１（ａ）〜（ｄ）は、本発明の一実施形態に係る展示セットを説明する図である。これらの図において、１０１は観賞物を示しており、この観賞物は、インクジェットプリンタで画像が記録されあるいは絵が描かれた、シートやパネルとすることができる。この観賞物１０１は、壁などの展示面１０３に固定される。ここで、その固定については、接着剤や治具等で固定してもよいが特にそういうことをせずに、床上の所望位置に鑑賞演出材を置き、その位置が維持できるように展示してあればよい。展示とともに鑑賞者が鑑賞演出材を移動しないように注意喚起を示すようにしてもよし、鑑賞者が移動すべきものと思い込んで、自分から鑑賞演出材を移動するようなことがなければ、平置きしておいてよい。なお、観賞物は、展示面に直接記録されまたは描かれた画像などであってもよい。１０２は観賞演出材を示し、観賞物に対して観賞位置側に配され、木製ボードの表面に均一な色の紙を貼って形成したものとすることができる。なお、観賞演出材はこの形態に限られるものではなく、例えば、木製ボードに対して塗装などの処理を施したものや、カラーのプラスチック板、金属の板などを用いることもできる。図１（ａ）に示すように、観賞演出材１０２は、観賞物１０１から距離Ｓの位置に配置される。
【００１１】
図１（ｂ）は、本実施形態の展示セットを正面から見た図であり、展示面は省略されている。また、図１（ｃ）は観賞物を、図１（ｄ）は観賞演出材１０２をそれぞれ正面から見た図である。図１（ｃ）に示すように、観賞物１０１には、観賞対象画像１０１ａ、１０１ｂが存在する。これらの観賞対象画像１０１ａ、１０１ｂは、観賞者が観賞物を見るときに、特に、注目して見る可能性のある対象となるものである。また、図１（ｄ）に示す例では、観賞演出材１０２は、所定の窓枠などの枠形状をしたものであるが、この形態限られない。観賞演出材は、詳細が後述されるように、観賞物の一部を遮蔽して観賞者から観賞物の一部が見えないようにする作用をするものであり、観賞者の移動による「運動視差」の効果や「奥行き感」を生じさせるものである。図１（ｄ）に示す枠形状の観賞演出材１０２は、縦演出材１０２ａ、１０２ｂ、１０２ｅ、１０２ｆと、横演出材１０２ｃ、１０２ｄを有して構成される。そして、４つの縦演出材の間に、観賞物を観賞するための２つの空間が構成される。さらに、本実施形態における観賞演出材は、観賞物と観賞者の間に固定する。詳細な理由は後述するが、観賞演出材を用いることで観賞物に立体感、奥行き感や没入感といった「臨場感」を演出することができる。本発明ではその効果を十分に得るために、観賞演出材と観賞物、観賞者の適切な位置関係を制御するので、適切な位置に観賞演出材が固定されている方が効果を得やすいことは言うまでもない。例えば、観賞時に、観賞演出材が形状や位置を変化させると奥行き感等が低下してしまう状態が発生し、展示セットの臨場感がなくなってしまう可能性がある。また、前述の理由から観賞演出材は固定されていることが望ましいため、実環境では本来あまり静止していないもの、例えば動物を模った観賞演出材はそれが静止し続けること自体に違和感があるため、観賞演出材としては望ましくない。
【００１２】
図２（ａ）〜（ｃ）は、観賞演出材の他の形態を示す斜視図であり、図１（ａ）と同様の図である。なお、これらの図では、展示面１０３の図示は省略されている。
【００１３】
図２（ａ）に示す観賞演出材２０１は、３つの縦演出材２０１ａ、２０１ｂ、２０１ｃを有するものであり、両端に円柱状の縦演出材２０１ａ、２０１ｂを配置し、中央に、両端よりは細い円柱状の縦演出材２０１ｃを配置したものである。さらに、図２（ｂ）に示す観賞演出材は、２つの角柱状の縦演出材２０５、２０６からなる。また、図２（c）に示す観賞演出材は、２つの樹木状の縦演出材２０２、２０３からなるものである。さらに、図２（d）に示す観賞演出材２０４は、観賞演出材の水平方向両側の奥行き部分にも演出材が存在する、箱状（上下方向の上および下側には演出材は存在しない）のものである。図２において観賞物は平らな展示面上に存在しているが、観賞物の形状はこれに限らず、観賞者を取り囲むような円柱内部やドーム形状面に存在してもよい。そのような場合においても、観賞演出材を観賞者と観賞物間に固定して配置することが本実施形態の特徴である。
【００１４】
以上のように、本発明の実施形態に係る観賞演出材は、少なくとも縦演出材が存在するものであり、この縦演出材が、観賞者に対して観賞物の一部を遮蔽する。
【００１５】
図３は、本実施形態に係る展示セットの、特に、観賞物１０１と、観賞演出材１０２との関係、および観賞物を観賞する観賞者３０１と観賞物における観賞対象画像１０１ａとの関係を説明する図である。
【００１６】
観賞者３０１（観賞物からの距離ｚ）が観賞物１０１を見るとき、先ず、人の眼の焦点調整機能が考慮される。すなわち、人の眼の焦点調整機能によって奥行きを認識できるのは、個人差があるが、一般的に２メートルであり、この距離より短い距離で観賞物を観賞すると、焦点調整機能によって観賞物１０１が平面に存在することを認識してしまい奥行き感が得られなくなる。この点から、観賞者が観賞する範囲として推奨される範囲を観賞推奨範囲３０２とするとき、観賞物１０１から最も近い距離３０４の条件として、上記２メートル以上とする。一方、観賞物と観賞者が最も遠くなる距離３０５の条件を、観賞者が観賞物１０１の観賞対象画像１０１ａの中央を注視したときに、観賞物１０１の水平方向の端１０４（展示面１０３との境界１０５）が、観賞者３０１の同じ水平方向の視野の範囲に入る距離以下とする。すなわち、人間の視野は、個人差はあるが、一般的に両目で同時に見える範囲は１２０度程度であり、上記最も遠い距離より長い距離では、観賞者の視野には観賞物の全体が入り、観賞者は観賞物がプリント物など平面的なものであると感じ、臨場感が損なわれてしまう。この場合、観賞者が上記最も遠い距離３０５にいる場合、境界が視界に入り臨場感が損なわれるおそれがある。そこで、本実施形態は、観賞演出材１０２の縦演出材（１０２ａ、１０２ｂなど）によって、上記境界１０５が観賞者の視界に入らないようにする。なお、この「境界」は、展示物１０１が、写真のように画像の周囲に余白があるものである場合は、その余白と画像との境界を含む趣旨である。なお、この「境界」は、展示物１０１が、写真のように画像の周囲に余白があるものである場合は、その余白と画像との境界を含む趣旨である。
【００１７】
本発明の実施形態に係る、観賞演出材１０２は、観賞物１０１を観賞するときの立体感や没入感といった「臨場感」の効果を生じさせるものであり、その作用として、（１）運動視差の作用、（２）遮蔽と相対的大きさと密度、がある。
【００１８】
「運動視差」は、観賞者の視点または観賞対象画像（観賞物）が移動することによって生じる視差である。観賞演出材が、観賞者と観賞物との間に存在すると、観賞者が観賞物（の観賞対象画像）を注視しながら移動したときに、観賞演出材は視野内での変化量が大きく（速度が速く）、観賞物は変化量が小さい（速度が遅い）。この変化量ないし変化の速度の差が運動視差の作用である。
【００１９】
図４（ａ）〜（ｆ）は、本実施形態に係る運動視差を説明する図である。図４（ａ）に示す状態から、観賞者３０１が図４（ｂ）に示すように、観賞物演出材の縦演出材１０２ａ（縦演出材を代表的に表したもので、「１０２ａ」に限られない）を注視（５０５）しながら、Ｘ軸の負の方向に移動すると、図４（ｃ）に示すように、縦演出材１０２ａによる観賞対象画像１０１ａの遮蔽位置が変化する。さらに、図４（ｄ）に示すように、縦演出材１０２ａを注視（５０７）しながら、Ｘ軸の正の方向に移動した場合、図４（ｅ）、（ｆ）に示すように、鑑観賞物演出材の縦演出材１０２ａによる観賞物１０１の観賞対象画像１０１ａの遮蔽位置が変化する。このように、観賞者の移動に応じて、観賞者の視野内での観賞演出材の変化量と、観賞物上の視点の変化量に差が生じ、この違いにより観賞者は観賞する観照対象画像に奥行きを知覚する。このように、観賞演出材を用いることにより、観賞物に対する立体感や没入感といった「臨場感」の効果を生じさせることが可能となる。
【００２０】
「遮蔽」は、複数の対象物のうち、ある対象物が他の対象物の一部を隠している場合に、上記のある対象物が他の対象物より前に存在すると知覚する、人間の立体知覚の一種である。本実施形態では、観賞演出材１０２を観賞物１０１と観賞者３０１の間に置くことにより、観賞者は、それと観賞物との奥行きを知覚するとともに、観賞物と観賞演出材との距離からさらに観賞物の複数の観賞対象画像の空間的位相配置で経験的に奥行きを知覚する。
【００２１】
なお、観賞演出材を用いて観賞物を「遮蔽」する位置は、例えば、図２（ｃ）に示す「道路」１０１ｅのような「遠近感」を構成する観賞対象画像を遮蔽しない位置とする。上述した「運動視差」や「遮蔽」と同様、観賞物における「線遠近」要素は、これを観賞者が観賞可能なように観賞演出材を配置することが望ましい。
【００２２】
図５（ａ）〜（ｃ）は、本実施形態に係る距離Ｓの変更による、基本的な観賞対象画像のサイズ感の変更を説明する図である。
【００２３】
図５（ａ）は、観賞対象画像１０１ａのサイズを実物相当サイズと知覚する状態（以下、状態１）を示し、このとき、観賞者３０１の観賞距離（観賞物から観賞者までの距離）ｚに対して、観賞物（１０１ａ）と観賞演出材（１０２ａ）との距離をＳ１の関係がある。この状態に対し、観賞距離ｚを変えずに、図５（ｂ）に示すように、観賞物（１０１ａ）と観賞演出材（１０２ａ）との距離を、状態１より短いかくしてＳ２（＜Ｓ１）とする。この結果、観賞者３０１が距離ｌだけ移動したときの、上述した運動視差の作用によって、観賞対象画像１０１ａの変化量ｄ２は、状態１で同じ距離ｌだけ移動したときの変化量ｄ１より小さくなる。この結果、観賞者は、観賞対象画像１０１ａを実サイズ相当より大きく知覚する。一方、観賞距離ｚを変えずに、図５（ｃ）に示すように、観賞物（１０１ａ）と観賞演出材（１０２ａ）との距離を、状態１より長くしてＳ３（＞Ｓ１）とする。この結果、観賞者３０１が距離ｌだけ移動したときの、上述した運動視差の作用によって、観賞対象画像１０１ａ変化量ｄ３は、状態１で同じ距離ｌだけ移動したときの変化量ｄ１より大きくなる。この結果、観賞者は、観賞対象画像１０１ａを実サイズ相当より小さく知覚する。
【００２４】
また、観賞物と観賞演出材との距離Ｓは、上述した観賞物１０１の水平方向のサイズに応じて定めた範囲内で、観賞物の画像を撮像したときの、カメラなどの撮影装置と観賞対象画像となる被写体との距離に応じて決定することができる。すなわち、観賞者の観賞距離ｚが一定の場合、撮影時の撮影距離が長い画像の観賞物ほど、観賞演出材と観賞物の距離Ｓを長く設定する。これにより、図５にて上述したように、撮影距離が長い画像ほど、運動視差による観賞対象画像の変化量を大きくして観賞対象画像を小さく知覚するようにすることができる。
【００２５】
さらに、観賞物のサイズによっても、観賞演出材と観賞物の距離を設定することができる。例えば、展示セットの設置環境によって観賞物のサイズが制限される場合、観賞対象画像を含む全体を表示するように観賞対象画像のサイズを、例えば等倍より小さく調整することがある。観賞演出材がない場合に、観賞者が、観賞推奨位置で観賞物を観賞すると、観賞距離と観賞対象画像のサイズから知覚する奥行きに違和感が生じる臨場感が低下する。このようなときには、図５にて上述したように、観賞演出材の観賞物からの距離を調節することにより観賞対象画像を実サイズ相当より大きく知覚させることができ、推奨観賞距離と観賞物、観賞演出材から知覚する奥行きの実際との差が小さくなり臨場感の低下を防止できる。
【００２６】
詳細には、観賞演出材の観賞者、観賞物との距離の関係について説明する。観賞物と観賞演出材の距離は、観賞者と観賞演出材の距離（観賞推奨距離）と観賞物の観賞対象画像のサイズにより設定される数値である。図６（ａ）および（ｂ）に示すような、観賞物が撮像装置によって撮像された画像である場合、観賞物の観賞対象画像１０１ａの理想サイズＹ１は、観賞推奨範囲内の観賞推奨距離Ｚ１から観賞物を観賞する場合に、観賞対象画像１０１ａの撮影時の撮影装置と被写体４０２との距離Ｚ２、被写体４０２の実物を相当の大きさＹ２とすると、以下の式（１）の比例関係があることが望ましい。なお、撮像装置であるデジタルカメラ等に様々な焦点距離のレンズを付けて撮影するので、距離Ｚ２は、「撮影画角」、「センササイズ」、「焦点距離」から算出する。
Ｚ１≧（Ｚ２×Ｙ１）／Ｙ２    式（１）
【００２７】
さらに、式（１）において、等号の関係が成り立つ場合は、観賞演出材を観賞物からＺ１／２の距離に設定すると、観賞対象画像１０１ａを実サイズ相当に知覚でき、さらに観賞演出材の効果により奥行きを感じ、臨場感が得られる。
【００２８】
しかしながら、観賞物のサイズや観賞推奨距離が展示環境などによる制限を受け、式（１）を満たすことが困難になる場合がある。本発明の第１の実施形態は、図５にて上述したように、観賞物上の観賞対象画像を実サイズ相当より大きく、あるいは小さく知覚するように観賞演出材の距離を制御することによって、式（１）が満たされないことに起因した観賞距離と知覚するサイズの違和感を低減する。
【００２９】
図７（ａ）〜（ｄ）は、本発明の第１の実施形態に係る、観賞演出材の距離の制御を説明する図である。図７に示す、観賞演出材の観賞物からの距離Ｓ６は、以下の２つの式に従って設定する。ここで、式（２）、（３）において、Ｙ３は観賞物の観賞対象画像１０１ａのサイズ、Ｙ１は、式（１）で定義される観賞対象画像１０１ａのサイズである。これらの式（２）、（３）は、観賞物の観賞対象画像のサイズが、観賞において観賞推奨位置の観賞物からの距離との比例関係（式（１））において、観賞対象画像の元となる被写体画像の実サイズに相当しない場合に、対応する距離Ｓ６を示すものである。すなわち、観賞対象画像のサイズＹ３が理想のサイズＹ１より大きい場合は、式（２）によって距離Ｓ６をより長い距離とする。これにより、運動視差による観賞対象画像の変化量を大きくし、観賞対象画像を小さく知覚させる。観賞対象画像のサイズＹ３が理想のサイズＹ１以下の場合は、式（３）によって距離Ｓ６をより短い距離とし、観賞対象画像を大きく知覚させる。
【００３０】
【数１】
0006771868.tif 000002
【００３１】
【数２】
0006771868.tif 000003
【００３２】
なお、人間の視覚特性から距離Ｓ６は一意に定まらない。本実施形態では、離れた観賞演出材と観賞物を周辺視（視野角１０度の範囲）で観賞しているとし、距離Ｓ６は、観賞推奨範囲の距離ｚについて、式（４）で算出される幅ｄＳを持つものとする。
ｄｓ＝ｚ・ｔａｎθ（θ＝５°）    式（４）
【００３３】
ここで、上述した制限などによって定まるＹ３が、Ｙ３＞Ｙ１を満たす場合の式（２）によって、観賞物から観賞演出材までの距離Ｓ６が定まる。しかし、観賞演出材１０２ａは，図７においてｚ方向の幅を持つ。このため、この幅に応じて、例えば、観賞者が移動して観賞対象画像を見るときの運動視差による観賞演出材の変化量が異なることになり、実サイズ相当の知覚に違いを生じる。これに対し、本発明の実施形態は、上記式（２）で定まる距離Ｓ６について、以下のような観賞演出材の距離の定め方をする。
【００３４】
図７（ａ）に示すように、観賞演出材１０１ａと観賞物１０１との距離が、観賞者３０１と観賞演出材１０１ａとの距離より近い場合、観賞演出材１０２ａの、観賞物１０１に近い側の面７０２を基準として、観賞演出材１０２ａと観賞物１０１の距離Ｓ６を設定する。なお、ここでは、説明を簡略化するために、観賞演出材の面７０２を基準としたが、実際は、図７（ａ）に示すように、観賞物１０１に近い側の面７０２から、観賞演出材１０２ａの重心Ｗまでの領域Ｐ１内に基準を設定する。すなわち、距離Ｓ６をこの領域Ｐ１内の点から観賞物１０１までの距離とする。ここで、重心Ｗは、例えば、観賞演出材が、図２に示す観賞演出材２０１のように、ｘ−ｚ平面の断面形状がｙ方向において変化しない場合は、観賞演出材の質量中心とすることができる。また、観賞演出材が、図２に示す観賞演出材２０２、２０３のように、ｘ−ｚ平面での断面形状が変化する場合は、観賞者が観賞物に正対した場合、つまり観賞演出材に高さｙ’＝（観賞者の視線の高さ）である時のｘ−ｚ平面の断面の重心とすることができる。
【００３５】
以上のように、観賞演出材１０２ａと観賞物１０１を図７（ａ）に示す位置に設定した場合、観賞者３０１が観賞演出材１０２ａの観賞者３０１に近い側の面７０３を注目しながらｘの負の方向に移動すると、視野内での観賞演出材の変化量はｄ４となる。これに対し、図７（ｂ）に示すように、距離Ｓ６の基準を、を観賞演出材１０２ａの観賞者３０１に近い側の面７０３に設定すると、観賞者３０１が観賞演出材７０３を注目しながら移動したときの視野内での観賞演出材１０２ａの変化量はｄ５となる。ここで変化量ｄ５は変化量ｄ４より小さいため、図５にて上述したように、観賞物１０１の観賞対象画像１０１ａは実サイズ相当より大きく知覚することになる。すなわち、Ｙ３が理想の値Ｙ１より大きい場合に、実サイズ相当より大きく知覚することは好ましくなく、そのため、観賞演出材１０２ａを、図７（ａ）に示すＰ１の幅内の位置に設定する。
【００３６】
以上のように、観賞演出材１０２ａと観賞物１０１との距離が、観賞者３０１と観賞演出材１０２ａとの距離より近い場合、図７（ａ）に示す観賞演出材の位置よりも、幅Ｐ１の範囲でさらに観賞者に近い方に観賞演出材を配置することにより、観賞物の観賞対象画像を実サイズ相当に知覚できるようにすることができる。これにより、観賞者が観賞物から知覚する奥行きについての違和感を抑制することができる。なお、図７（ａ）に示す観賞演出材１０１ａの位置でも、観賞物から知覚する奥行きについての違和感を抑制することが可能である。
【００３７】
一方、図７（ｃ）に示すように、観賞演出材１０２ａと観賞者３０１との距離が、観賞演出材１０２ａと観賞物１０１との距離より近い場合は、観賞演出材１０２ａの観賞者３０１に近い側の面７０３から観賞演出材１０２ａの重心Ｗまでの領域Ｐ２内の位置を基準に上記距離Ｓ６を設定する。すなわち、先ず、上述した制限などによって定まるＹ３が、Ｙ３≦Ｙ１を満たす場合の式（３）によって、観賞物から観賞演出材までの距離Ｓ６が定まる。そして、この距離Ｓ６について、その基準を以下のように定める。
【００３８】
観賞者３０１と観賞演出材１０２ａとの距離が、観賞物１０１と観賞演出材１０２ａとの距離より近い場合、図７（ｄ）に示すように、観賞演出材１０２ａの観賞物１０１に近い側の面７０２を基準として観賞演出材１０２ａの位置を決めると、運動視差における観賞物の変化量ｄ５が、観賞演出材１０２ａの観賞者３０１に近い側の面７０３を基準としたときの変化量ｄ４よりも大きくなる。つまり、観賞者は同じ距離から観賞物を見ているにも関わらず、観賞物の観賞対象画像を実サイズ相当より小さく知覚してしまう。このようにＹ３が理想の値Ｙ１より小さい場合に、実サイズ相当より小さく知覚することは好ましくなく、そのため、距離Ｓ６の基準を、図７（ｃ）に幅Ｐ２内の位置とする。これにより観賞者が観賞物から知覚する奥行きについての違和感を抑制することができる。
【００３９】
（第２実施形態）
図８（ａ）〜（ｄ）は、本発明の第２実施形態に係る展示セットを説明する図である。図８（ａ）は、展示セットをｙ軸方向から見た断面図、図８（ｂ）は、展示セットを斜め上から俯瞰した斜視図、図８（ｃ）は、観賞物を正面から見た図である。
【００４０】
本実施形態の展示セットは、観賞者８０１が、観賞演出材８０４〜８０７の一部の観賞演出材８０５の上に立って、観賞物８０２を上から見て高さ、つまりＺ方向の奥行きを感じることで臨場感を得る展示物である。観賞者８０１が、観賞推奨範囲８１０内の位置で観賞物８０２を見たとき、観賞物８０２を設置した床面８０３から観賞者８０１の目までの高さ（図８（ａ）に示す例ではＳ７）を観賞推奨距離Ｚ１とする。
【００４１】
観賞物の内容は、図２に示した観賞物でもよい。図８に示す展示セットにおいても、観賞者と観賞物の間に観賞演出材を配置することによって、第１実施形態で説明した理由により奥行き感を得ることが可能だからである。しかしながら、観賞者８０１は、図８（ａ）おおび（ｂ）に示すように、観賞物を上から観賞する状態であるため、より臨場感を高めるためには、図８（ｃ）に示すような、例えば、ビルの屋上から地上を撮影した写真や、地上から谷底などを撮影した写真や絵のようなｚ軸方向に奥行きがあるものを用いると好ましい。さらに、観賞物８０２を設置する際、図８（ｃ）に示すように、観賞者の足元に「線遠近」要素８１８が来るように設置してもよく、また、図８（ｄ）に示すように、９０度回転させて配置してもよい。図８（ｄ）に示すように、観賞者の足元にある遠近要素８１８が足元ではない箇所に配置されることで、観賞者は「高さ」を感じることにより「臨場感」が高まる。なお、図８において観賞演出材の一部８０６はアクリル板やガラスなどの透明の素材を用いることで観賞物８０２が透けて見えると共に、観賞演出材による運動視差効果が得られより臨場感を高める演出とすることも可能である。また、図８では観賞演出材の一部８０７は観賞物８０２を囲む壁の構造としたが、観賞演出材の一部８０７はこれまでに説明した奥行きに対する効果を生まないため、本実施形態の展示セットに必ずしも必要な構成ではない。
【００４２】
次に、本実施形態の展示セットにおいて、観賞演出材８０４を観賞者８０１や観賞物８０２との距離に対してどのように配置するかを、図９を用いて詳細を説明する。図９（ａ）〜（ｄ）は、本実施形態に係る、観賞演出材の配置の仕方を説明する図である。
【００４３】
本実施形態では、図９（ａ）に示すように、特に、観賞演出材８０４〜８０７と観賞物８０１との距離が近い場合、観賞者８０１が接している（存在している）観賞演出材８０５とは異なる部分の観賞演出材８０４において、観賞物８０２に近い側の面９０２から観賞演出材の重心Ｗまでの領域Ｐ３内の位置を基準に、観賞演出材８０４と観賞物８０２の距離Ｓ１０を設定する。観賞演出材８０４と観賞物８０２を、個のように図９（ａ）に示す位置に設定した場合、観賞者８０１が観賞演出材８０４の観賞物８０２に近い側の面９０２の端８０８を注目（視線９０３）しながらｚの負の方向に動く（視線９０４）と、視野内での観賞演出材の変化量はｄ８となる。これに対し、仮に、図９（ｂ）に示すように、観賞演出材８０４の観賞者８０１に近い側の面９０１を基準に距離を設定すると、観賞者８０１が観賞演出材８０４の観賞物８０２に近い側の面９０２の端８０８を注目（視線９０９）しながらｚの負の方向に動く（視線９０８）と、視野内での観賞演出材の変化量はｄ９となる。ここで、ｄ９はｄ８より小さいことから、図５にて上述したように、観賞物８０２の観賞対象画像は実サイズ相当より大きく知覚する。このように、観賞者８０１が、観賞推奨距離Ｚ（＝Ｓ７）で観賞する際は、図９（ａ）に示す観賞演出材の位置よりもさらに観賞者に近い方に距離の基準を置くことにより、観賞対象画像がより大きく知覚することを防止し、実サイズ相当に知覚しやすくすることができる。これにより、観賞者が観賞物から知覚する高さへの違和感が抑制される。ただし、図９（ａ）に示すように観賞演出材８０５と観賞物８０２の距離が近い場合にも、本実施形態で述べた観賞演出材８０４の一方の面の位置で距離を適切に設定する。または、観賞者８０１が立つ位置の観賞演出材の一部８０５と運動視差を発現する観賞演出材の一部８０４が同一部材である場合、図９（ａ）のように観賞演出材の一部８０４を観賞演出材の一部８０５より高い位置に設定する。これにより、観賞物から知覚する奥行きについての違和感を抑制することが可能となる。
【００４４】
さらに、本実施形態においてはＺ軸方向の高さ（＝奥行き）をより感じさせるものであるため、図９（ａ）に示すように観賞演出材の一部８０４を観賞演出材の一部８０５より高い位置に設定すると共に、観賞演出材８０５の厚さを薄くすることにより、観賞物８０２から観賞演出材８０４までの距離Ｓ１０がより長くなり、より高さを知覚する展示セットにすることもできる。
【００４５】
また、図９（ｃ）に示すように、観賞演出材８０４が観賞物８０２より観賞者８０１に近い場合には、観賞演出材８０４の観賞者８０１に近い側の面９０１から観賞演出材の重心Ｗまでの領域Ｐ４内の位置を距離の基準とする。仮に、図９（ｄ）に示すように、観賞演出材８０４の観賞物８０３に近い側の面９０２を距離の基準として観賞演出材８０４の位置を設定すると、図９（ｃ）に示す場合と比較して運動視差による変化量が大きくなることで、実サイズ相当より小さく知覚し奥行きのずれが生じる。
【００４６】
以上のとおり、本実施形態の観賞演出材は、人間が奥行きや立体を知覚するため経験的手がかりを補完し、観賞物に立体感や没入感といった「臨場感」を高める効果がある。
【符号の説明】
【００４７】
１０１、８０２    観賞物
１０２、８０４、８０５    観賞演出材
【図１】
0006771868.tif 000004
【図２】
0006771868.tif 000005
【図３】
0006771868.tif 000006
【図４】
0006771868.tif 000007
【図５】
0006771868.tif 000008
【図６】
0006771868.tif 000009
【図７】
0006771868.tif 000010
【図８】
0006771868.tif 000011
【図９】
0006771868.tif 000012